(57)【要約】【課題】通信設備の使用が量並びに適用範囲の多様性において増大するにつれ、より効率的な通信管理システムが必要になっている。【解決手段】パンチダウンパネル（接続装置）110は、幅が異なる２つの区画を含んでいる。第１区画は取り付け区画170であり、第２区画はパンチダウン区画175である。取り付け区画は、パンチダウン区画より幅が広い。そのため、２つ以上のパンチングパネルを近接させて電気通信架台に取り付けると、広い方の取り付け区画は当接し、パンチダウン区画の間にはアクセスチャネル180が残る。アクセスチャネルによって、パンチダウン基板130の長さに沿う何れの点でも、パンチダウンパネルの後面から通したワイヤーで絶縁排除コネクタ160にアクセスできるようになる。【選択図】図１
2010219560.tif 000002
【特許請求の範囲】
【請求項１】
パンチダウンパネルにおいて、
取り付けパネルと、
パンチダウン基板と、を備えており、
前記パンチダウンパネルは、取り付け区画とパンチダウン区画を含んでおり、前記取り付け区画は前記パンチダウン区画より幅が広い、パンチダウンパネル。
【請求項２】
前記取り付けパネルは打ち抜き成形された金属シートである、請求項１に記載のパンチダウンパネル。
【請求項３】
前記取り付けパネルには、少なくとも１つのアクセス開口部が形成されている、請求項１に記載のパンチダウンパネル。
【請求項４】
前記少なくとも１つのアクセス開口部は、前記取り付けパネルの各端部に配置された少なくとも１つのアクセス開口部を備えている、請求項３に記載のパンチダウンパネル。
【請求項５】
前記少なくとも１つのアクセス開口部は、前記取り付けパネルの中心又は中心付近に配置された少なくとも１つのアクセス開口部を備えている、請求項３に記載のパンチダウンパネル。
【請求項６】
前記取り付けパネルには、前記取り付けパネルの各端部に少なくとも１つの取り付け穴が形成されている、請求項１に記載のパンチダウンパネル。
【請求項７】
前記少なくとも１つの取り付け穴は、少なくとも１つのファスナーを通すのに適した寸法形状に形成されている、請求項６に記載のパンチダウンパネル。
【請求項８】
前記ファスナーは、少なくとも１つのスクリューである、請求項７に記載のパンチダウンパネル。
【請求項９】
前記少なくとも１つの取り付け穴は、位置が、電気通信架台の少なくとも１つの取り付け構造部の位置に対応している、請求項６に記載のパンチダウンパネル。
【請求項１０】
前記パンチダウン基板はプラスチックで形成されている、請求項１に記載のパンチダウンパネル。
【請求項１１】
前記パンチダウン基板は少なくとも１つの絶縁排除コネクタを備えている、請求項１に記載のパンチダウンパネル。
【請求項１２】
前記少なくとも１つの絶縁排除コネクタは、前記パンチダウン基板の長さに沿って２列に形成されている複数の絶縁排除コネクタを備えている、請求項１１に記載のパンチダウンパネル。
【請求項１３】
前記取り付け区画と前記パンチダウン区画は、幅が、前記パンチダウンパネルに接続するのに適したワイヤーの直径を上回る量だけ異なっている、請求項１に記載のパンチダウンパネル。
【請求項１４】
前記取り付け区画と前記パンチダウン区画は、幅が、約０．３７０インチだけ異なっている、請求項１に記載のパンチダウンパネル。
【請求項１５】
前記取り付け区画と前記パンチダウン区画は、前記取り付け区画の第１外側エッジと前記パンチダウン区画の対応する第１外側エッジとの間の第１距離が、前記取り付け区画の第２外側エッジと前記パンチダウン区画の対応する第２外側エッジとの間の第２距離と実質的に同じになるように、幅が異なっている、請求項１に記載のパンチダウンパネル。
【請求項１６】
前記第１距離と前記第２距離は、それぞれ、約０．１８５インチである、請求項１５に記載のパンチダウンパネル。
【請求項１７】
請求項１に記載の少なくとも２つのパンチダウンパネルを備えている電気通信架台において、前記少なくとも２つのパンチダウンパネルは、それぞれの取り付け区画が、実質的に隣接し、アクセスチャネルがそれぞれのパンチダウン区画の間に形成されるように、前記電気通信架台に装着されている、電気通信架台。
【請求項１８】
パンチダウン基板において、
少なくとも１つの実質的に平坦なワイヤー受入基板と、
少なくとも１つの絶縁排除基板と、
少なくとも１つの直立部材と、
少なくとも１つのワイヤー受入領域と、を備えており、
前記少なくとも１つのワイヤー受入領域は、少なくとも１つのワイヤー受入基板と、前記少なくとも１つの絶縁排除基板と、前記少なくとも１つの直立部材とによって境界が定められている、パンチダウン基板。
【請求項１９】
前記少なくとも１つのワイヤー受入領域は、構造支持体に制約されていない、請求項１８に記載のパンチダウン基板。
【請求項２０】
前記少なくとも１つのワイヤー受入領域の境界を形成している前記少なくとも１つのワイヤー受入基板の表面は、三次元造形部に実質的に制約されていない、請求項１８に記載のパンチダウン基板。
【請求項２１】
少なくとも１つの絶縁排除コネクタが、前記少なくとも１つの絶縁排除コネクタ基板の表面上に形成されている、請求項１８に記載のパンチダウン基板。
【請求項２２】
前記少なくとも１つのワイヤー受入領域内に収納されている複数のワイヤーを更に備えている、請求項１８に記載のパンチダウン基板。
【請求項２３】
請求項１８のパンチダウン基板を備えているパンチダウンパネル。
【請求項２４】
請求項２３のパンチダウンパネルを備えている電気通信架台。
【発明の詳細な説明】
【技術分野】
【０００１】
本発明は、接続を確立するためのアクセスをやり易くする架台搭載式パンチダウンパネルに関する。本発明は、更に、配線管理のための容量を増やすパンチダウン基板に関する。
【背景技術】
【０００２】
本出願は、２００４年４月２６日出願の米国仮特許出願第６０／５６５，２９２号に関する優先権を請求し、その全体を、引用することによりここに組み入れる。  通信設備の使用が、量並びに適用範囲の多様性において増大するにつれ、より効率的な通信管理システムが必要になっている。多くのシステムで、適切に構成され接続されている通信架台を使用しなければ、音声、データ及び他の通信ハードウェアの接続点が、非常に混乱することになりかねない。適用範囲が小さければ、単一の小さな盤又は架台で十分だが、適用範囲が大きくなると、多くの、隣接し又は配列された大規模な通信架台が必要になる。
【０００３】
通信架台のための既知の設計は、様々な装置と接続機器が取り付け又は搭載されている１つ又は複数の、高い長方形の金属フレームを含んでいる。或る一般的な配置では、架台の片面を使って入出力線を収容し、反対側の面を使ってケーブルを接続して、様々な入出力を相互接続できるようにしている。第２の一般的な配置では、架台システムは、隣接して配置された幾つかの架台を含んでおり、架台の一端に入出力線を収容し、架台の他端にケーブルを接続して、様々な入出力を相互接続できるようにしている。端部の架台と架台の間にある架台は、入出力を所望の構成で適切に接続し、中間の電気的構成要素に出入りする経路を指定するように機能する。
【０００４】
これらの既知の架台上のケーブル構成は、用途に合わせて変化するが、通常は、そのような架台は、フレームの垂直な側面近くを、場合によってはチャネル又は垂直なケーブルマネージャー内を、垂直に走るケーブル配線を有している。個々のケーブルは、架台を横切って、例えば、パッチパネル、接続引き出し器、コネクタモジュール又は光ファイバー格納器の様な様々な装置又は接続器まで走っている。そのような架台は、更に、架台の上部及び／又は底部を水平に走るケーブル経路指定構造部を含んでおり、ケーブルが架台システムに出入りするときにケーブルを編成して方向付けし、同時にケーブルを適切な配列で架台内に維持するようにしていることが多い。更に、追加の管又はケーブル管理構造部を使って、特定の用途に必要な範囲で、ケーブルを架台上に経路指定し編成している。
【０００５】
電気通信架台は、通信システムにおける編成及び保管に関係する数多くの問題に有効な解決策を呈示しているが、他の問題及び／又は懸念が残っている。１つの一般的な懸念は美観である。大部分の電気通信システムには相当量のケーブル配線と電子及び接続機器が使われているので、これらの様々な要素が出会うノードは、非常に見苦しく、率直に言えば、具体的な接続構成の編成及び品質、又はシステム自体に関する誤認が広がる恐れがある。
【０００６】
外観に関するこの懸念と対極に、機能に関する懸念がある。幾つかのシステムでは、時には又はしばしば、接続器及び／又は機器を加え、取り外し、又は換える必要がある。接続部を形成する方式は、これらの操作を接続する難易度及び効率に劇的に影響を及ぼす。これらの懸念の多くは、電気通信架台の技術革新を通して取り組むことができるが、外観と機能の大幅な改良は、個々の構成要素、特に接続機器の設計における技術革新によって実現することができる。
【０００７】
パンチダウンパネルは、周知の接続装置である。パネルは、他の構成要素と共に電気通信架台に取り付けられ、出入りするケーブルと他の装置及び機器との間にインターフェースを形成している。パンチダウンパネルは、パネルを電気通信架台に取り付けられるようにする取り付け穴又は他の取り付け造形部を含んでいる。パネルは、互いに近接して取り付けてもよいし、重ねて取り付けてもよいし、電気通信架台上の他の装置の間に挟んでもよい。パネルは、ワイヤーストリップ、又は、パネルと、絶縁されたワイヤーとの間を接続できるようにする絶縁排除コネクタを含んでいる。「パンチダウン」という用語は、絶縁されたワイヤーをワイヤー条片又は絶縁排除コネクタにプレス加工してワイヤーの絶縁材を除去又は排除して、パネルと接続する工程に関係している。更に、パネルへの接続は、パッチコード又は他の装置を使って実現することができる。
【特許文献１】仮特許出願第６０／５６５，２９２号
【発明の開示】
【課題を解決するための手段】
【０００８】
パンチダウンパネルを使えば、比較的狭い面積で多数のワイヤーと接合することができる。そのような接合が可能なので、パンチダウンパネルは、外観の美しさと機能性を維持しながら、多数のワイヤーと接続できるようにする設計要素を含んでいる。例えば、既知のパンチダウンパネルは、絶縁排除コネクタに取り付けるために、ワイヤーを、パネルの後面からパネルの前面へ通すことができる多数のアクセス開口部を含んでいる。そのようなアクセス開口部は、一般的に、パンチダウンパネル上の、ワイヤーを接続することになる絶縁排除コネクタの間又はその近くに配置されている。アクセス開口部は、通常は、多数のワイヤーが出入りできるほどの大きさである。しかしながら、そのようなアクセス開口部は、パンチダウンパネルの構造要素内に形成されるので、開口部の大きさと場所が制限されるのが難点である。その結果、複数の位置で複数の絶縁排除コネクタと接点を作るために、複数のワイヤーが、パンチダウンパネルの特定の位置の１つのアクセス開口部を通過することになる。この配置は、その開口部を通して１つのワイヤーを装着又は除去するために、１つのアクセス開口部を通るワイヤーの幾つか又は全てを取り外さなければならないので、配線構成を取り外し、装着し、又は換えるのが非常に面倒になりかねない。アクセス開口部を使用せずに、ワイヤーをパンチダウンパネルの側面上を通すことも、この難点を回避する１つの方法であると提案されているが、そのような配置は、空間を浪費し、既に装着されているパネルに近接して追加のパンチダウンパネル又は他の機器を追加できなくなる。
【０００９】
ワイヤーを出入りさせるだけでなく、パンチダウンパネルに接続されるワイヤーを巧く編成する必要がある。そのような編成とするために、様々な構造要素がパンチダウンパネルに含まれている。例えば、多くのパンチダウンパネルは、絶縁排除コネクタに取り付けられるワイヤーを囲うために様々な場所に作られている直立部材を含んでいる。更に、絶縁排除コネクタの列の間に空間又は回廊を設けて、パンチダウンパネルに接続されるワイヤーが出っ張らないようにしてもよい。多くの既知の構造では、これらの編成策が不十分である。例えば、絶縁排除コネクタの間に設けられた回廊が小さすぎて、回廊を取り囲む絶縁排除コネクタと接続できるだけの数のワイヤーを収容できない。
【００１０】
本発明は、先に指摘した難点を解決する策となるパンチダウンパネルとパンチダウン基板を提供している。即ち、複数のパネルが近接して設置される場合でも、パネルの側面に亘る何れの位置でも、ワイヤーを、パネルの後面からパネルの前面へ通すことができるように作られているパンチダウンパネルを提供している。本発明によるパンチダウンパネルでは、パネルの取り付け区画がパネルのパンチダウン区画より広くなるように幅が変わるので、この機能が実現される。従って、本発明による２つのパンチダウンパネルの取り付け区画を電気通信架台に近接して取り付ける場合、パネルの隣接するパンチダウン区画の間に、アクセスチャネルが残る。このように配置すると、配線構成体を取り外し、装着し又は換える作業が簡単になるので、一本のワイヤーを、パネルに取り付けられている他のワイヤーを煩わすこと無く装着又は取り外すことができる。更に、複数のパネルを電気通信架台に近接して取り付ける機能を損なうこと無く、パンチダウンパネルの側面へアクセスできるようになる。
【００１１】
絶縁排除コネクタの間に広い空間を含むパンチダウン基板が提供されている。広い空間は、通常は絶縁排除コネクタの間に設けられる構造支持体の輪郭を低くすることによって作ることができる。空間を広くした結果、パンチダウン基板に接続されるワイヤーの出っ張りが少なくなり、この出っ張りの少ない方法でより多くのワイヤーを編成できるようになる。
【００１２】
様々な代表的実施形態において、本発明によるパンチダウンパネルは、取り付けパネルとパンチダウン基板を含んでいる。パンチダウン基板は、複数の絶縁排除コネクタを含んでおり、取り付けパネルは、取り付け区画とパンチダウン区画を含んでいる。取り付け区画は、パンチダウンパネルを電気通信架台に取り付けるための取り付け穴を含んでおり、パンチダウン区画は、パンチダウン基板に接触し、１つ又は複数のアクセス開口部を含んでいるのが望ましい。取り付け区画は、パンチダウン区画より幅が広いので、パンチダウンパネルを別の装置に近接して取り付けると、パンチダウン区画と隣接する装置の間にアクセスチャネルができ、パネル側面の何れの位置でも、ワイヤーを、パネルの後面からパネルの前面へ通せるようになる。
【００１３】
様々な代表的実施形態では、本発明によるパンチダウン基板は、２つの側面それぞれに、少なくとも１つの絶縁排除基板と接触しているワイヤー受入基板、及び少なくとも１つの直立部材を含んでいる。パンチダウン基板は、２つの側面それぞれに、ワイヤー受入基板と少なくとも１つの絶縁排除基板と少なくとも１つの直立部材とによって形成された境界を有するワイヤー受入領域を含んでいる。ワイヤー受入領域には、構造部材を配置しない方が望ましい。
【図面の簡単な説明】
【００１４】
【図１】本発明による代表的なパンチダウンパネルの部分前面図である。
【図２】図２ａは、本発明による代表的なパンチダウンパネルの、電気通信架台に装着されている状態を示す前面図である。図２ｂは、本発明による代表的なパンチダウンパネルの、電気通信架台に装着されている状態を示す上面図である。
【図３】本発明による代表的なパンチダウンパネルの、パンチダウン基板が取り外された状態を示す前面図である。
【図４】本発明による代表的なパンチダウンパネルの、パンチダウン基板の一部が取り外された状態を示す部分分解斜視図である。
【図５】本発明による代表的なパンチダウン基板の側面図である。
【図６】既知のパンチダウン基板の側面図である。
【図７】本発明による代表的なパンチダウンパネルの、複数のケーブルを保持している状態を示す断面図である。
【発明を実施するための形態】
【００１５】
本発明、並びに他の態様及びその更なる特徴をよく理解頂くため、以下、図面を参照しながら説明する。
図１は、本発明によるパンチダウンパネル１１０の代表的な実施形態の部分前面図である。図１では、３つのパンチダウンパネル１１０それぞれの半分を示している。パンチダウンパネル１１０は、取り付けパネル１２０とパンチダウン基板１３０を含んでいる。取り付けパネル１２０は、パンチダウンパネル１１０の通信架台への取り付け、及びケーブルの出入りを考慮した様々な造形部を含んでいる略長方形の支持部材である。取り付けパネル１２０は、適していればどの様な材料で形成してもよい。例えば、取り付けパネル１２０は、金属シート材料から打ち抜き成形してもよい。パンチダウンパネル１１０を電気通信架台に取り付けるための代表的な造形には、取り付け穴１３５が含まれる。パンチダウンパネル１１０は、スクリューとナットの組み合わせ又は他のファスナーを、取り付け穴１３５と電気通信架台上の対応する穴に通すことによって、電気通信架台に取り付けられる。取り付けパネル１２０は、更に、ケーブルが出入りできる中央アクセス開口部１４０と端部アクセス開口部１５０を含んでいる。取り付け穴１３５と開口部１４０、１５０は、適していればどの様な手段で取り付けパネルに形成してもよい。
【００１６】
パンチダウンパネル１１０には、パンチダウン基板１３０が取り付けられている。パンチダウン基板１３０は、適していればどの様な材料で形成してもよい。例えば、パンチダウン基板１３０は、ある程度のコンプライアンスと弾性を示す剛性プラスチック材料で形成してもよい。パンチダウン基板は、パンチダウン基板１３０の長さに沿って配置されている複数の絶縁排除コネクタ１６０を含んでいる。図１の実施形態では、絶縁排除コネクタ１６０は、パンチダウン基板１３０上に、端から端まで二列に配置されている。他の構成を使用してもよい。
【００１７】
パンチダウンパネル１１０は、幅が異なる２つの区画を含んでいる。第１区画は取り付け区画１７０であり、第２区画はパンチダウン区画１７５である。取り付け区画１７０は、パンチダウン区画１７５より幅（図１では上から下）が広い。そのため、２つかそれ以上のパンチダウンパネル１１０を近接させて電気通信架台に取り付けると、広い方の取り付け区画１７０は当接し、パンチダウン区画１７５の間にはアクセスチャネル１８０が残る。アクセスチャネル１８０によって、パンチダウン基板１３０の長さに沿う何れの点でも、パンチダウンパネル１１０の後面から通したワイヤーで絶縁排除コネクタ１６０にアクセスできるようになる。
【００１８】
取り付け区画１７０の幅は、適した量だけパンチダウン区画１７５の幅と違えることができる。幅の差は、パンチダウンパネル１１０に接続することになるワイヤーの直径に関連付けて選択し、ワイヤーを、パネル１１０の後面からアクセスチャネル１８０を介してパネル１１０の前面へ容易に通すことができるようにするのが理想的である。図１の実施形態では、取り付け区画１７０は、パンチダウン区画１７５より０．３７０インチ広い。この幅の差は、パンチダウンパネル１１０の両面に分配されるので、パンチダウン区画１７５の最も外側のエッジと取り付け区画１７０の最も外側のエッジとの間には、０．１８５インチの距離が存在する。従って、図１に示す実施形態による２つのパンチダウンパネル１１０を接近して取り付けると、各パネル１１０の間に作られるアクセスチャネル１８０は、幅が少なくとも０．３７０インチになる。
【００１９】
図２（ａ）は、本発明による代表的なパンチダウンパネル１１０が電気通信架台２１０に装着された状態を示す前面図である。図１は、３つの代表的なパンチダウンパネル１１０の部分図しか示していない。図２（ａ）は、電気通信架台２１０に装着された状態の、３つのパンチダウンパネル１１０の全体前面図である。電気通信架台２１０は、パンチダウンパネル１１０又は他の電気通信構成要素を取り付けることのできる一対の垂直な支持体を含んでいる。架台２１０は、垂直なケーブルマネージャー２２０の内側表面に配置されている。垂直なケーブルマネージャー２２０は、電気通信架台２１０を取り付けることのできる第２の一対の垂直な支持体を含んでいる。垂直なケーブルマネージャー２２０には、ケーブルを通すことのできる内側のチャネル及び開口部が設けられている。
【００２０】
図２（ｂ）は、本発明による代表的なパンチダウンパネル１１０の、電気通信架台に装着されている状態を示す上面図である。図２（ｂ）は、図２（ａ）に示している垂直なケーブルマネージャー２２０／電気通信架台２１０／パンチダウンパネル１１０を含む構造物に、パンチダウンパネル１１０に接続されているケーブルの詳細を追加して示す上面図である。第１グループのケーブル２３０と第２グループのケーブル２４０は、図示していない起点から、垂直なケーブルマネージャー２２０を通して、パンチダウンパネル１１０の後面まで配線されている。第１グループのケーブル２３０は、絶縁排除コネクタ１６０に接続するため、端部アクセス開口部１５０を通して、パンチダウンパネル１１０の前面まで配線されている。第２グループのケーブル２４０は、絶縁排除コネクタ１６０に接続するため、アクセスチャネル１８０を通して、パンチダウンパネル１１０の前面まで配線されている。図２（ｂ）は、垂直なケーブルマネージャー２２０からパンチダウンパネル１１０の前面まで通っているパッチコード２５０も示している。
【００２１】
図３は、本発明によるパンチダウンパネル１１０の代表的な取り付けパネル１２０を、パンチダウン基板１３０が取り付けられていない状態で示す前面図である。図１に関して論じたように、取り付けパネル１２０は、パンチダウンパネル１１０を電気通信架台２１０に取り付けられるようにする取り付け穴１３５を含んでいる。取り付けパネル１２０は、更に、パンチダウンパネル１１０の後面及び前面からケーブルを出し入れできるようにする中央アクセス開口部１４０と端部アクセス開口部１５０を含んでいる。取り付けパネル１２０は、幅が異なる２つの区画を含んでいる。取り付け区画１７０は、パンチダウン区画１７５より幅が広い。２つ又はそれ以上のパンチダウンパネル１１０を電気通信架台２１０に取り付けると、広い方の取り付け区画１７０同士が当接し、一方、隣接しているが間隔を空けて配置されている狭い方のパンチダウン区画１７５同士は、隣接するパンチダウンパネル１１０同士の間にアクセスチャネル１８０を形成する。アクセスチャネル１８０は、パンチダウン基板１３０の長さに沿う何れの点でも、パンチダウンパネル１１０の前面にアクセスできるようにしている。
【００２２】
図４は、本発明による代表的なパンチダウンパネル１１０の、パンチダウン基板１３０の一部が取り外されている状態を示す部分分解斜視図である。この例では、図４は、中央アクセス開口部１４０、端部アクセス開口部１５０及びアクセスチャネル１８０が、ケーブル２３０、２４０を、パンチダウンパネル１１０の後面から絶縁排除コネクタ１６０が配置されている前面へどの様に通過させるかを示している。第１グループのケーブル２３０と第２グループのケーブル２４０は、パンチダウンパネル１１０の後面から前面へ通される。第１グループのケーブル２３０は、絶縁排除コネクタ１６０に接続するため、端部アクセス開口部１５０を通して、パンチダウンパネル１１０の前面に配線される。第２グループのケーブル２４０は、絶縁排除コネクタ１６０に接続するため、アクセスチャネル１８０を通して、パンチダウンパネル１１０の前面に配線される。第２グループの様々なケーブル２４０の位置から明らかなように、中央アクセス開口部１４０と端部アクセス開口部１５０が提供する出入りの位置が制限されているのに比べて、アクセスチャネル１８０は、パンチダウンパネル１１０の長さに沿う数多くの位置で、パンチダウンパネル１１０の後面から絶縁排除コネクタ１６０へアクセスできるようにしている。
【００２３】
図５は、本発明による代表的なパンチダウン基板３３０の側面図である。パンチダウン基板３３０は、図１−４を参照しながら論じたパンチダウンパネル１１０、又は他のパンチダウンパネルと組み合わせて用いることができる。パンチダウン基板３３０は、直立部材３３２、絶縁排除基板３３４、及び、直立部材３３２と絶縁排除基板３３４と実質的に平坦なワイヤー受入基板３３８によって境界を定められたワイヤー受入領域３３６を含んでいる。
【００２４】
本発明によるパンチダウン基板３３０は、ワイヤー受入領域３３６内にワイヤーのための追加空間を設けている。この追加空間の元は、本発明によるパンチダウン基板３３０を、図６に示す既知のパンチダウン基板３０と比較するとよく分かる。既知のパンチダウン基板３０は、本発明によるパンチダウン基板３３０と同様に、直立部材３２、絶縁排除基板３４、及び、直立部材３２と絶縁排除基板３４とワイヤー受入基板３８によって境界が定められたワイヤー受入領域３６を含んでいる。既知のパンチダウン基板３０は、パンチダウン基板３０に構造的な支持を提供するリブ４２を含んでいる点で、本発明によるパンチダウン基板３３０と異なっている。リブ４２は、直立部材３２と絶縁排除基板３４の間に、そしてワイヤー受入基板３８の上方に設けられている。リブ４２が存在すると、ワイヤー受入基板３８に三次元の造形が持ち込まれ、実質的に平坦ではなくなる。これらの三次元リブ４２は、ワイヤー受入領域３６の容積を減ずるので、ワイヤー受入領域３６内に収めることのできるワイヤーの数と寸法が制限される。本発明によるパンチダウン基板３３０では、パンチダウン基板３３０のための構造支持体が、ワイヤー受入基板３３８の上ではなく下方に設けられるので、受容基板３３８の実質的に平坦な特性が保持される。
【００２５】
図７は、多数のワイヤーを保持している本発明による代表的なパンチダウン基板３３０の断面図である。図７は、絶縁排除基板３３４上に配置されている絶縁排除コネクタ３４４の詳細を、追加して示している。図７で分かるように、パンチダウン基板３３０は、多数のワイヤー３４６を、直立部材３３２、絶縁排除基板３３４及びワイヤー受入基板３３８によって境界が定められたワイヤー受入領域３３６内に収納できるように構成されている。先に論じたように、この追加の空間は、構造的な支持体をワイヤー受入領域３３６内のワイヤー受入基板３３８の上、又は上方に使用するのを回避することによって実現されている。
【００２６】
以上、本発明について、上に概括した代表的実施形態に関連付けて説明してきたが、少なくとも当業者であれば、現在既知か、予測されていないかにかかわらず、様々な代替案、修正、変形、改良及び／又は実質的な等価物を想起できるであろう。従って、本発明の代表的な実施形態は、先にも述べたように、説明を目的としており、限定を意図してはいない。本発明の精神と範囲から逸脱すること無く、様々な変更を施すことができる。従って、ここに出願している請求項は、補正される場合を含め、全ての既知の、又は後日開発される代替、修正、変形、改良及び／又は実質的な等価物を包含するものとする。
【符号の説明】
【００２７】
１１０  パンチダウンパネル
１２０  取り付けパネル
３０、１３０、３３０  パンチダウン基板
１３５  取り付け穴
１４０、１５０、２４０  アクセス開口部
１６０  絶縁排除コネクタ
１７０  取り付け区画
１７５  パンチダウン区画
１８０  アクセスチャネル
２１０  電気通信架台
３８  ３３８  ワイヤー受入基板
３２  ３３２  直立部材
３６  ３３６  ワイヤー受入領域
３４  ３３４  絶縁排除基板
【図１】
2010219560.tif 000003
【図２】
2010219560.tif 000004
【図３】
2010219560.tif 000005
【図４】
2010219560.tif 000006
【図５】
2010219560.tif 000007
【図６】
2010219560.tif 000008
【図７】
2010219560.tif 000009
【手続補正書】
【提出日】平成22年7月1日(2010.7.1)
【手続補正１】
【補正対象書類名】特許請求の範囲
【補正対象項目名】全文
【補正方法】変更
【補正の内容】
【特許請求の範囲】
【請求項１】
通信架台に出入りするケーブルを接続するための接続装置（１１０）において、
細長い取り付けパネル（１２０）と、
前記取り付けパネル（１２０）に取り付けられる、接続部を有する細長い基板（１３０）と、を備え、
前記取り付けパネル（１２０）は、
前記基板（１３０）が取り付けられる基板取り付け区画（１７５）と、
前記取り付けパネル（１２０）の長手方向に沿って前記基板取り付け区画（１７５）の両側に配置される、前記取り付けパネル（１２０）を前記通信架台に取り付けるための取り付け区画（１７０）と、を有し、
前記取り付け区画（１７０）の幅は前記基板取り付け区画（１７５）の幅よりも広く、これにより、取り付けパネル（１２０）が他の取り付けパネル（１２０）と隣接して前記通信架台に取り付けられた場合に、隣接する２つの取り付けパネル（１２０）の取り付け区画（１７０）同士が互いに当接し、隣接する２つの取り付けパネル（１２０）の基板取り付け区画（１７５）の間に、ケーブルを保持するための通路（１８０）が形成されることを特徴とする、接続装置。
【請求項２】
請求項１に記載の接続装置（１１０）において、前記取り付けパネル（１２０）は打ち抜き成形された金属シートである、接続装置。
【請求項３】
請求項１に記載の接続装置（１１０）において、前記取り付けパネル（１２０）には、該取り付けパネル（１２０）の各端部に配置されケーブルが出入りするための少なくとも１つの開口部（１５０）が形成されている、接続装置。
【請求項４】
請求項１に記載の接続装置（１１０）において、前記取り付けパネル（１２０）には、該第１の取り付けパネルの中心又は中心付近に配置されケーブルが出入りするための少なくとも１つの開口部（１４０）が形成されている、接続装置。
【請求項５】
請求項１に記載の接続装置（１１０）において、前記取り付けパネル（１２０）には、該取り付けパネル（１２０）の前記取り付け区画（１７０）において、前記取り付けパネル（１２０）を前記通信架台に取り付けるための少なくとも１つの取り付け穴（１３５）が形成されている、接続装置。
【請求項６】
請求項５に記載の接続装置（１１０）において、前記少なくとも１つの取り付け穴（１３５）は、位置が、電気通信架台の少なくとも１つの取り付け構造部の位置に対応している、接続装置（１１０）。
【請求項７】
請求項１に記載の接続装置（１１０）において、前記基板（１３０）はプラスチックで形成されている、接続装置。
【請求項８】
請求項１に記載の接続装置（１１０）において、
前記基板（１３０）の前記接続部は、少なくとも１つの絶縁排除コネクタ（１６０）を備え、
前記ケーブルの絶縁されたワイヤーを前記絶縁排除コネクタ（１６０）にプレス加工してワイヤーの絶縁材を除去又は排除することにより、前記ケーブルが前記基板（１３０）に接続される、接続装置。
【請求項９】
請求項８に記載の接続装置（１１０）において、前記少なくとも１つの絶縁排除コネクタ（１６０）は、前記基板（１３０）の長手方向に沿って２列に形成されている複数の絶縁排除コネクタを備えている、接続装置。
【請求項１０】
請求項１に記載の接続装置（１１０）において、前記取り付け区画（１７０）と前記基板取り付け区画（１７５）は、幅が、前記接続装置（１１０）に接続するのに適したケーブルの直径を上回る量だけ異なっている、接続装置。
【請求項１１】
請求項１に記載の接続装置（１１０）において、前記取り付け区画（１７０）と前記基板取り付け区画（１７５）は、幅が、０．３７０インチだけ異なっている、接続装置。
【外国語明細書】
2010219560000001.pdf